(57)【要約】【課題】無線ＬＡＮにおけるシグナルフィールドを送信する方法及び装置を提供する。【解決手段】無線ＬＡＮにおけるシグナルフィールドを送信する方法は、第１のＳＴＡ（ｓｔａｔｉｏｎ）がシグナルフィールドを生成するステップと、第１のＳＴＡが第１のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル、第２のＯＦＤＭシンボル及び第３のＯＦＤＭシンボルで前記シグナルフィールドを第２のＳＴＡに送信するステップとを含み、第２のＯＦＤＭシンボルで使われる第２のコンスタレーション及び前記第３のＯＦＤＭシンボルで使われる第３のコンスタレーションのうち少なくとも一つは、前記第１のＯＦＤＭシンボルで使われる第１のコンスタレーションを基準に回転されることができる。【選択図】図８
2016519479.tif 000002
【特許請求の範囲】
【請求項１】
無線ＬＡＮにおけるシグナルフィールドを送信する方法において、
第１のＳＴＡ（ｓｔａｔｉｏｎ）がシグナルフィールドを生成するステップ；及び、
前記第１のＳＴＡが第１のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル、第２のＯＦＤＭシンボル及び第３のＯＦＤＭシンボルで前記シグナルフィールドを第２のＳＴＡに送信するステップ；を含み、
前記第２のＯＦＤＭシンボルで使われる第２のコンスタレーション及び前記第３のＯＦＤＭシンボルで使われる第３のコンスタレーションのうち少なくとも一つは、前記第１のＯＦＤＭシンボルで使われる第１のコンスタレーションを基準に回転されるシグナルフィールド送信方法。
【請求項２】
前記第１のＳＴＡがＬ（ｌｅｇａｃｙ）−ＳＩＧ（ｓｉｇｎａｌ）を基準ＯＦＤＭシンボルで送信するステップをさらに含み、
前記基準ＯＦＤＭシンボルは、前記第１のＯＦＤＭシンボルに先行するシンボルであり、
前記第１のコンスタレーションは、前記基準ＯＦＤＭシンボルで使われる基準コンスタレーションと同じコンスタレーションである請求項１に記載のシグナルフィールド送信方法。
【請求項３】
前記第１のコンスタレーションは、ＢＰＳＫ（ｂｉｎａｒｙ  ｐｈａｓｅ  ｓｈｉｆｔ  ｋｅｙｉｎｇ）コンスタレーションであり、
前記第２のコンスタレーション及び前記第３のコンスタレーションのうち一つは、ＱＢＰＳＫ（ｑｕａｄｒａｔｕｒｅ  ｂｉｎａｒｙ  ｐｈａｓｅ  ｓｈｉｆｔ  ｋｅｙｉｎｇ）コンスタレーションであり、残りの一つは、前記ＢＰＳＫコンスタレーションであり、
前記ＱＢＰＳＫコンスタレーションは、前記ＢＰＳＫコンスタレーションを基準に反時計方向に９０度回転される請求項１に記載のシグナルフィールド送信方法。
【請求項４】
前記シグナルフィールドは、前記第２のＳＴＡのグループ識別子と同じグループ識別子を有する複数のＳＴＡに対するチャネル割当フィールドを含み、
前記チャネル割当フィールドは、特定時点で前記複数のＳＴＡの各々のアップリンク送信のために割り当てられたチャネルに対する情報を含む請求項１に記載のシグナルフィールド送信方法。
【請求項５】
前記シグナルフィールドは、前記第２のＳＴＡのアップリンクＭＩＭＯ（ｍｕｌｔｉｐｌｅ  ｉｎｐｕｔ  ｍｕｌｔｉｐｌｅ  ｏｕｔｐｕｔ）のためのアップリンク時空間ストリームの個数に対する情報をさらに含む請求項４に記載のシグナルフィールド送信方法。
【請求項６】
無線ＬＡＮにおけるシグナルフィールドを送信するＳＴＡ（ｓｔａｔｉｏｎ）において、前記ＳＴＡは、
無線信号を送信及び受信するために具現されたＲＦ（ｒａｄｉｏ  ｆｒｅｑｕｅｎｃｙ）部；及び、
前記ＲＦ部と選択的に連結されるプロセッサ；を含み、前記プロセッサは、
シグナルフィールドを生成し、第１のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル、第２のＯＦＤＭシンボル及び第３のＯＦＤＭシンボルで前記シグナルフィールドを受信ＳＴＡに送信するように具現され、
前記第２のＯＦＤＭシンボルで使われる第２のコンスタレーション及び前記第３のＯＦＤＭシンボルで使われる第３のコンスタレーションのうち少なくとも一つは、前記第１のＯＦＤＭシンボルで使われる第１のコンスタレーションを基準に回転されるＳＴＡ。
【請求項７】
前記プロセッサは、Ｌ（ｌｅｇａｃｙ）−ＳＩＧ（ｓｉｇｎａｌ）を基準ＯＦＤＭシンボルで送信するように具現され、
前記基準ＯＦＤＭシンボルは、前記第１のＯＦＤＭシンボルに先行するシンボルであり、
前記第１のコンスタレーションは、前記基準ＯＦＤＭシンボルで使われる基準コンスタレーションと同じコンスタレーションである請求項６に記載のＳＴＡ。
【請求項８】
前記第１のコンスタレーションは、ＢＰＳＫ（ｂｉｎａｒｙ  ｐｈａｓｅ  ｓｈｉｆｔ  ｋｅｙｉｎｇ）コンスタレーションであり、
前記第２のコンスタレーション及び前記第３のコンスタレーションのうち一つは、ＱＢＰＳＫ（ｑｕａｄｒａｔｕｒｅ  ｂｉｎａｒｙ  ｐｈａｓｅ  ｓｈｉｆｔ  ｋｅｙｉｎｇ）コンスタレーションであり、残りの一つは、前記ＢＰＳＫコンスタレーションであり、
前記ＱＢＰＳＫコンスタレーションは、前記ＢＰＳＫコンスタレーションを基準に反時計方向に９０度回転される請求項６に記載のＳＴＡ。
【請求項９】
前記シグナルフィールドは、前記受信ＳＴＡのグループ識別子と同じグループ識別子を有する複数のＳＴＡに対するチャネル割当フィールドを含み、
前記チャネル割当フィールドは、特定時点で前記複数のＳＴＡの各々のアップリンク送信のために割り当てられたチャネルに対する情報を含む請求項６に記載のＳＴＡ。
【請求項１０】
前記シグナルフィールドは、前記受信ＳＴＡのアップリンクＭＩＭＯ（ｍｕｌｔｉｐｌｅ  ｉｎｐｕｔ  ｍｕｌｔｉｐｌｅ  ｏｕｔｐｕｔ）のためのアップリンク時空間ストリームの個数に対する情報をさらに含む請求項９に記載のＳＴＡ。
【発明の詳細な説明】
【技術分野】
【０００１】
本発明は、無線通信に関し、より詳しくは、無線ＬＡＮ（ｗｉｒｅｌｅｓｓ  ｌｏｃａｌ  ａｒｅａ  ｎｅｔｗｏｒｋ、ＷＬＡＮ）でシグナルフィールドを送信する方法及び装置に関する。
【背景技術】
【０００２】
ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のＷＮＧ  ＳＣ（Ｗｉｒｅｌｅｓｓ  Ｎｅｘｔ  Ｇｅｎｅｒａｔｉｏｎ  Ｓｔａｎｄｉｎｇ  Ｃｏｍｍｉｔｔｅｅ）は、次世代ＷＬＡＮ（ｗｉｒｅｌｅｓｓ  ｌｏｃａｌ  ａｒｅａ  ｎｅｔｗｏｒｋ）を中長期的に論議するアドホック委員会（ｃｏｍｍｉｔｔｅｅ）である。
【０００３】
２０１３年３月ＩＥＥＥ会議で、ブロードコムは、ＷＬＡＮ標準化ヒストリーに基づき、ＩＥＥＥ８０２．１１ａｃ標準が完成される２０１３年上半期ＩＥＥＥ８０２．１１ａｃ以後の次世代ＷＬＡＮに対する議論の必要性を提示した。技術的な必要性及び標準化の必要性に基づき、２０１３年３月ＩＥＥＥ会議で次世代ＷＬＡＮのためのスタディグループ創設に対するモーションが通過された。
【０００４】
一名ＨＥＷ（Ｈｉｇｈ  Ｅｆｆｉｃｉｅｎｃｙ  ＷＬＡＮ）と呼ばれる次世代ＷＬＡＮスタディグループで主に論議されるＨＥＷの範囲（ｓｃｏｐｅ）は、１）２．４ＧＨｚ及び５ＧＨｚなどの帯域で８０２．１１ＰＨＹ（ｐｈｙｓｉｃａｌ）階層とＭＡＣ（ｍｅｄｉｕｍ  ａｃｃｅｓｓ  ｃｏｎｔｒｏｌ）階層の向上、２）スペクトラム効率性（ｓｐｅｃｔｒｕｍ  ｅｆｆｉｃｉｅｎｃｙ）と領域スループット（ａｒｅａ  ｔｈｒｏｕｇｈｐｕｔ）を高めること、３）干渉ソースが存在する環境、密集した異種ネットワーク（ｈｅｔｅｒｏｇｅｎｅｏｕｓ  ｎｅｔｗｏｒｋ）環境及び高いユーザ負荷が存在する環境のような実際室内環境及び室外環境で性能を向上させることなどである。ＨＥＷで主に考慮されるシナリオは、ＡＰ（ａｃｃｅｓｓ  ｐｏｉｎｔ）とＳＴＡ（ｓｔａｔｉｏｎ）が多い密集環境であり、ＨＥＷは、このような状況でスペクトラム効率（ｓｐｅｃｔｒｕｍ  ｅｆｆｉｃｉｅｎｃｙ）と空間送信率（ａｒｅａ  ｔｈｒｏｕｇｈｐｕｔ）改善に対して議論する。特に、室内環境だけでなく、既存ＷＬＡＮであまり考慮されていなかった室外環境での実質的な性能改善に関心を有する。
【０００５】
ＨＥＷでは無線オフィス（ｗｉｒｅｌｅｓｓ  ｏｆｆｉｃｅ）、スマートホーム（ｓｍａｒｔ  ｈｏｍｅ）、スタジアム（Ｓｔａｄｉｕｍ）、ホットスポット（Ｈｏｔｓｐｏｔ）、ビルディング／アパート（ｂｕｉｌｄｉｎｇ／ａｐａｒｔｍｅｎｔ）のようなシナリオに関心が大きく、該当シナリオに基づいてＡＰとＳＴＡが多い密集環境でのシステム性能向上に対する議論が進行されている。
【０００６】
今後、ＨＥＷでは一つのＢＳＳ（ｂａｓｉｃ  ｓｅｒｖｉｃｅ  ｓｅｔ）での単一リンク性能向上よりは、ＯＢＳＳ（ｏｖｅｒｌａｐｐｉｎｇ  ｂａｓｉｃ  ｓｅｒｖｉｃｅ  ｓｅｔ）環境でのシステム性能向上及び室外環境性能改善、そして、セルラーオフローディングなどに対する議論が活発になると予想される。このようなＨＥＷの方向性は、次世代ＷＬＡＮがますます移動通信と類似の技術範囲を有するようになることを意味する。最近、スモールセル及びＤ２Ｄ（Ｄｉｒｅｃｔ−ｔｏ−Ｄｉｒｅｃｔ）通信領域で移動通信とＷＬＡＮ技術が共に論議されている状況を考慮する時、ＨＥＷに基づく次世代ＷＬＡＮと移動通信の技術的及び事業的な融合はさらに活発になることと予測される。
【発明の概要】
【発明が解決しようとする課題】
【０００７】
本発明の目的は、無線通信システムにおけるシグナルフィールドを送信する方法及び装置を提供することである。
【０００８】
本発明の他の目的は、シグナルフィールドを受信する方法及び装置を提供することである。
【課題を解決するための手段】
【０００９】
前述した本発明の目的を達成するための本発明の一側面による無線ＬＡＮにおけるシグナルフィールドを送信する方法は、第１のＳＴＡ（ｓｔａｔｉｏｎ）がシグナルフィールドを生成するステップと、前記第１のＳＴＡが第１のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル、第２のＯＦＤＭシンボル及び第３のＯＦＤＭシンボルで前記シグナルフィールドを第２のＳＴＡに送信するステップとを含み、前記第２のＯＦＤＭシンボルで使われる第２のコンスタレーション及び前記第３のＯＦＤＭシンボルで使われる第３のコンスタレーションのうち少なくとも一つは、前記第１のＯＦＤＭシンボルで使われる第１のコンスタレーションを基準に回転される。
【００１０】
前述した本発明の目的を達成するための本発明の他の側面による無線ＬＡＮにおけるシグナルフィールドを送信するＳＴＡ（ｓｔａｔｉｏｎ）は、無線信号を送信及び受信するために具現されたＲＦ（ｒａｄｉｏ  ｆｒｅｑｕｅｎｃｙ）部と、前記ＲＦ部と選択的に連結されるプロセッサとを含み、前記プロセッサは、シグナルフィールドを生成し、第１のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル、第２のＯＦＤＭシンボル及び第３のＯＦＤＭシンボルで前記シグナルフィールドを受信ＳＴＡに送信するように具現される、前記第２のＯＦＤＭシンボルで使われる第２のコンスタレーション及び前記第３のＯＦＤＭシンボルで使われる第３のコンスタレーションのうち少なくとも一つは、前記第１のＯＦＤＭシンボルで使われる第１のコンスタレーションを基準に回転される。
【発明の効果】
【００１１】
既存のＰＰＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）ｐｒｏｔｏｃｏｌ  ｄａｔａ  ｕｎｉｔ）に対する自動探知規則（ａｕｔｏ  ｄｅｔｅｃｔｉｏｎ  ｒｕｌｅ）を維持しながら、新しく定義されたＰＰＤＵを探知することができる。新しく定義されたＰＰＤＵに含まれるフィールドの変調方法に基づき、ＳＴＡ（ｓｔａｔｉｏｎ）は、既存の無線ＬＡＮシステムと後方互換性を有しながら、受信されたＰＰＤＵが新しく定義されたＰＰＤＵかどうかを判断することができる。
【図面の簡単な説明】
【００１２】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【図２】ＩＥＥＥ８０２．１１によりサポートされる無線ＬＡＮシステムの階層アーキテクチャを示す。
【図３】ｎｏｎ−ＨＴフォーマットＰＰＤＵを示す概念図である。
【図４】ＨＴフォーマットＰＰＤＵを示す概念図である。
【図５】ＶＨＴフォーマットＰＰＤＵを示す概念図である。
【図６】各々のＰＰＤＵに含まれているフィールドを送信する方法を示す概念図である。
【図７】本発明によるＨＥＷフォーマットＰＰＤＵを示す概念図である。
【図８】本発明によるＨＥＷフォーマットＰＰＤＵを示す概念図である。
【図９】本発明の実施例によるＨＥＷで無線通信方法を示す概念図である。
【図１０】本発明の実施例によるＨＥＷで無線通信方法を示す概念図である。
【図１１】本発明の実施例によるグループ識別子フィールド及びユーザチャネル位置フィールドに対する概念図である。
【図１２】本発明の実施例による無線通信方法を示す概念図である。
【図１３】本発明の実施例によるＨＥＷで無線通信方法を示す概念図である。
【図１４】本発明の実施例によるＨＥＷで無線通信方法を示す概念図である。
【図１５】本発明の実施例が適用されることができる無線装置を示すブロック図である。
【発明を実施するための形態】
【００１３】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００１４】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャネットワーク（ｉｎｆｒａｓｔｒｕｃｔｕｒｅ  ｎｅｔｗｏｒｋ）の構造を示す。
【００１５】
図１の上段を参照すると、無線ＬＡＮシステムは、一つまたはそれ以上の基本サービスセット（Ｂａｓｉｃ  Ｓｅｒｖｉｃｅ  Ｓｅｔ、ＢＳＳ）１００、１０５を含むことができる。ＢＳＳ１００、１０５は、成功的に同期化を行われて互いに通信できるＡＰ（ａｃｃｅｓｓ  ｐｏｉｎｔ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むことができる。
【００１６】
インフラストラクチャＢＳＳは、少なくとも一つのＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００１７】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を具現することができる。ＥＳＳ１４０は、一つまたは複数個のＡＰ１２５、１３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００１８】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジ役割を遂行することができる。
【００１９】
図１の上段のようなインフラストラクチャネットワークでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０が無しでＳＴＡ間でもネットワークを設定して通信を実行することも可能である。ＡＰ１２５、１３０が無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅｓｅｔ）と定義する。
【００２０】
図１の下段は、独立ＢＳＳを示す概念図である。
【００２１】
図１の下段を参照すると、独立ＢＳＳ（ｉｎｄｅｐｅｎｄｅｎｔ  ＢＳＳ、ＩＢＳＳ）は、アドホックモードに動作するＢＳＳである。ＩＢＳＳは、ＡＰを含まないため、中央で管理機能を遂行する個体（ｃｅｎｔｒａｌｉｚｅｄ  ｍａｎａｇｅｍｅｎｔ  ｅｎｔｉｔｙ）がない。即ち、ＩＢＳＳでは、ＳＴＡ１５０−１、１５０−２、１５０−３、１５５−４、１５５−５が分散された方式（ｄｉｓｔｒｉｂｕｔｅｄ  ｍａｎｎｅｒ）に管理される。ＩＢＳＳでは、全てのＳＴＡ１５０−１、１５０−２、１５０−３、１５５−４、１５５−５が移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００２２】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であり、広義では、ＡＰと非−ＡＰ  ＳＴＡ（Ｎｏｎ−ＡＰ  Ｓｔａｔｉｏｎ）を両方とも含む意味として使われることができる。
【００２３】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００２４】
図２は、ＩＥＥＥ８０２．１１によりサポートされる無線ＬＡＮシステムの階層アーキテクチャを示す。
【００２５】
図２では、無線ＬＡＮシステムの階層アーキテクチャ（ＰＨＹ  ａｒｃｈｉｔｅｃｔｕｒｅ）を概念的に示した。
【００２６】
無線ＬＡＮシステムの階層アーキテクチャは、ＭＡＣ（ｍｅｄｉｕｍ  ａｃｃｅｓｓ  ｃｏｎｔｒｏｌ）副階層（ｓｕｂｌａｙｅｒ）２２０、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）副階層２１０、及びＰＭＤ（Ｐｈｙｓｉｃａｌ  Ｍｅｄｉｕｍ  Ｄｅｐｅｎｄｅｎｔ）副階層２００を含むことができる。ＰＬＣＰ副階層２１０は、ＭＡＣ副階層２２０がＰＭＤ副階層２００に最小限の従属性を有して動作できるように具現される。ＰＭＤ副階層２００は、複数のＳＴＡ間でデータを送受信するための送信インターフェース役割を遂行することができる。
【００２７】
ＭＡＣ副階層２２０、ＰＬＣＰ副階層２１０、及びＰＭＤ副階層２００は、概念的に管理部（ｍａｎａｇｅｍｅｎｔ  ｅｎｔｉｔｙ）を含むことができる。
【００２８】
ＭＡＣ副階層２２０の管理部は、ＭＬＭＥ（ＭＡＣ  Ｌａｙｅｒ  Ｍａｎａｇｅｍｅｎｔ  Ｅｎｔｉｔｙ）２２５であり、物理階層の管理部は、ＰＬＭＥ（ＰＨＹ  Ｌａｙｅｒ  Ｍａｎａｇｅｍｅｎｔ  Ｅｎｔｉｔｙ）２１５である。このような管理部は、階層管理動作が実行されるインターフェースを提供することができる。ＰＬＭＥ２１５は、ＭＬＭＥ２２５と連結されてＰＬＣＰ副階層２１０及びＰＭＤ副階層２００の管理動作（ｍａｎａｇｅｍｅｎｔ  ｏｐｅｒａｔｉｏｎ）を実行することができ、ＭＬＭＥ２２５もＰＬＭＥ２１５と連結されてＭＡＣ副階層２２０の管理動作（ｍａｎａｇｅｍｅｎｔ  ｏｐｅｒａｔｉｏｎ）を実行することができる。
【００２９】
正確なＭＡＣ階層動作が実行されるために、ＳＭＥ（ＳＴＡ  ｍａｎａｇｅｍｅｎｔ  ｅｎｔｉｔｙ）２５０が存在する。ＳＭＥ２５０は、階層に独立的な構成部として運用されることができる。ＭＬＭＥ、ＰＬＭＥ、及びＳＭＥは、プリミティブ（ｐｒｉｍｉｔｉｖｅ）に基づいて相互構成部間に情報を送信及び受信することができる。
【００３０】
各副階層での動作を簡略に説明すると、下記の通りである。ＰＬＣＰ副階層２１０は、ＭＡＣ副階層２２０とＰＭＤ副階層２００との間でＭＡＣ階層の指示によってＭＡＣ副階層２２０から受けたＭＰＤＵ（ＭＡＣ  Ｐｒｏｔｏｃｏｌ  Ｄａｔａ  Ｕｎｉｔ）をＰＭＤ副階層２００に伝達し、またはＰＭＤ副階層２００から来るフレームをＭＡＣ副階層２２０に伝達する。ＰＭＤ副階層２００は、ＰＬＣＰの下位階層であり、無線媒体を介した複数のＳＴＡ間でのデータ送信及び受信を実行することができる。ＭＡＣ副階層２２０が伝達したＭＰＤＵ（ＭＡＣ  ｐｒｏｔｏｃｏｌ  ｄａｔａ  ｕｎｉｔ）は、ＰＬＣＰ副階層２１０でＰＳＤＵ（Ｐｈｙｓｉｃａｌ  Ｓｅｒｖｉｃｅ  Ｄａｔａ  Ｕｎｉｔ）という。ＭＰＤＵは、ＰＳＤＵと類似するが、複数のＭＰＤＵをアグリゲーション（ａｇｇｒｅｇａｔｉｏｎ）したＡ−ＭＰＤＵ（ａｇｇｒｅｇａｔｅｄ  ＭＰＤＵ）が伝達された場合、各々のＭＰＤＵとＰＳＤＵは、互いに異なる。
【００３１】
ＰＬＣＰ副階層２１０は、ＰＳＤＵをＭＡＣ副階層２２０から受けてＰＭＤ副階層２００に伝達する過程で物理階層の送受信機により必要な情報を含む付加フィールドを付ける。このとき、付加されるフィールドは、ＰＳＤＵにＰＬＣＰプリアンブル（ｐｒｅａｍｂｌｅ）、ＰＬＣＰヘッダ（ｈｅａｄｅｒ）、コンボリューションエンコーダをゼロ状態（ｚｅｒｏ  ｓｔａｔｅ）に返すのに必要なテールビット（Ｔａｉｌ  Ｂｉｔｓ）などである。ＰＬＣＰプリアンブルは、ＰＳＤＵが送信される前に受信機に同期化機能とアンテナダイバーシティを準備するようにする役割をすることができる。データフィールドは、ＰＳＤＵにパディングビット、スクランブラを初期化するためのビットシーケンスを含むサービスフィールド及びテールビットが付けられたビットシーケンスがエンコーディングされたコード化シーケンス（ｃｏｄｅｄ  ｓｅｑｕｅｎｃｅ）を含むことができる。このとき、エンコーディング方式は、ＰＰＤＵを受信するＳＴＡでサポートされるエンコーディング方式によって、ＢＣＣ（Ｂｉｎａｒｙ  Ｃｏｎｖｏｌｕｔｉｏｎａｌ  Ｃｏｄｉｎｇ）エンコーディングまたはＬＤＰＣ（Ｌｏｗ  Ｄｅｎｓｉｔｙ  Ｐａｒｉｔｙ  Ｃｈｅｃｋ）エンコーディングのうち一つを選択することができる。ＰＬＣＰヘッダには送信するＰＰＤＵ（ＰＬＣＰ  Ｐｒｏｔｏｃｏｌ  Ｄａｔａ  Ｕｎｉｔ）に対する情報を含むフィールドが含まれることができる。
【００３２】
ＰＬＣＰ副階層２１０では、ＰＳＤＵに前述したフィールドを付加してＰＰＤＵ（ＰＬＣＰ  Ｐｒｏｔｏｃｏｌ  Ｄａｔａ  Ｕｎｉｔ）を生成してＰＭＤ副階層２００を経由して受信ステーションに送信し、受信ステーションは、ＰＰＤＵを受信してＰＬＣＰプリアンブル、ＰＬＣＰヘッダからデータ復元に必要な情報を得て復元する。
【００３３】
図３は、ｎｏｎ−ＨＴフォーマットＰＰＤＵを示す概念図である。
【００３４】
図３ではＩＥＥＥ８０２．１１ａ／ｇをサポートするｎｏｎ−ＨＴ（ｈｉｇｈ  ｔｈｒｏｕｇｈｐｕｔ）ＰＰＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）ｐｒｏｔｏｃｏｌ  ｄａｔａ  ｕｎｉｔ）フォーマットに対して開示する。ｎｏｎ−ＨＴフォーマットＰＰＤＵは、レガシーフォーマットＰＰＤＵという用語で表現されることもできる。
【００３５】
図３を参照すると、ｎｏｎ−ＨＴフォーマットＰＰＤＵは、Ｌ−ＳＴＦ（ｌｅｇａｃｙ−ｓｈｏｒｔ  ｔｒａｉｎｉｎｇ  ｆｉｅｌｄ）３００、Ｌ−ＬＴＦ（ｌｅｇａｃｙ−ｌｏｎｇ  ｔｒａｉｎｉｎｇ  ｆｉｅｌｄ）３２０、Ｌ−ＳＩＧ（ｌｅｇａｃｙ  ＳＩＧＮＡＬ  ｆｉｅｌｄ）３４０及びデータ３６０を含むことができる。
【００３６】
Ｌ−ＳＴＦ３００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ３００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、粗い周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【００３７】
Ｌ−ＬＴＦ３２０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ３２０は、細かい周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【００３８】
Ｌ−ＳＩＧ３４０は、制御情報を送信するために使われることができる。Ｌ−ＳＩＧ３４０は、データ送信率（ｒａｔｅ）、データ長さ（ｌｅｎｇｔｈ）に対する情報を含むことができる。
【００３９】
データ３６０は、ペイロード（ｐａｙｌｏａｄ）であって、サービスフィールド（ＳＥＲＶＩＣＥ  ｆｉｅｌｄ）、スクランブリングされたＰＳＤＵ（ｓｃｒａｍｂｌｅｄ  ＰＬＣＰ  ｓｅｒｖｉｃｅ  ｄａｔａ  ｕｎｉｔ）、テールビット（ｔａｉｌ  ｂｉｔｓ）、パディングビット（ｐａｄｄｉｎｇ  ｂｉｔｓ）を含むことができる。
【００４０】
図４は、ＨＴフォーマットＰＰＤＵを示す概念図である。
【００４１】
図４ではＨＴ（ｈｉｇｈ  ｔｈｒｏｕｇｈｐｕｔ）フォーマットＰＰＤＵのうち、ＩＥＥＥ８０２．１１ｎ及びＩＥＥＥ８０２．１１ａ／ｇを両方ともサポートするためのＨＴ混合フォーマットＰＰＤＵ（ＨＴ−ｍｉｘｅｄ  ｆｏｒｍａｔ  ＰＰＤＵ）に対して開示する。
【００４２】
図４を参照すると、ＨＴ混合フォーマットＰＰＤＵは、図３に示すｎｏｎ−ＨＴフォーマットＰＰＤＵに追加的にＨＴ−ＳＩＧ４００、ＨＴ−ＳＴＦ４２０、ＨＴ−ＬＴＦ４４０をさらに含むことができる。
【００４３】
ＨＴ−ＳＩＧ４００は、ＨＴ混合フォーマットＰＰＤＵを解析するための情報を含むことができる。例えば、ＨＴ−ＳＩＧ４００は、ＭＣＳ（ｍｏｄｕｌａｔｉｏｎ  ａｎｄ  ｃｏｄｉｎｇ  ｓｃｈｅｍｅ）、ＰＳＤＵ長さ情報、ＳＴＢＣ（ｓｐａｃｅ  ｔｉｍｅ  ｂｌｏｃｋ  ｃｏｄｉｎｇ）情報などを含むことができる。
【００４４】
ＨＴ−ＳＴＦ４２０は、ＡＧＣ性能の向上、タイミング同期化及び周波数同期化のために使われることができる。ＨＴ−ＳＴＦ４２０の全体長さは、Ｌ−ＳＴＦと同じく４ｕｓであるが、循環遅延値は互いに異なる。
【００４５】
ＨＴ−ＬＴＦ４４０は、ＭＩＭＯ（ｍｕｌｔｉｐｌｅ  ｉｎｐｕｔ  ｍｕｌｔｉｐｌｅ  ｏｕｔｐｕｔ）チャネル推定と微細ＣＦＯ（ｃａｒｒｉｅｒ  ｆｒｅｑｕｅｎｃｙ  ｏｆｆｓｅｔ）推定のために使われることができる。ＩＥＥＥ８０２．１１ｎをサポートするＳＴＡは、時空間ストリーム（ｓｐａｃｅ  ｔｉｍｅ  ｓｔｒｅａｍ）（または、空間ストリーム（ｓｐａｔｉａｌ  ｓｔｒｅａｍ））の個数ほどチャネルを推定しなければならないため、時空間ストリームの数によってＨＴ−ＬＴＦ４４０の個数が増加できる。
【００４６】
図５は、ＶＨＴフォーマットＰＰＤＵを示す概念図である。
【００４７】
図５を参照すると、ＶＨＴ（ｖｅｒｙ  ｈｉｇｈ  ｔｈｒｏｕｇｈｐｕｔ）フォーマットＰＰＤＵは、Ｌ−ＳＴＦ、Ｌ−ＬＴＦ、Ｌ−ＳＩＧ、ＶＨＴ−ＳＩＧ−Ａ、ＶＨＴ−ＳＴＦ、ＶＨＴ−ＬＴＦｓ、ＶＨＴ−ＳＩＧ−Ｂ及びデータを含むことができる。
【００４８】
Ｌ−ＳＴＦフィールド、Ｌ−ＬＴＦフィールド及びＬ−ＳＩＧフィールドは、図３で前述したように、ｎｏｎ−ＨＴフォーマットＰＰＤＵに含まれているフィールドである。残りのＶＨＴ−ＳＩＧ−Ａ５００、ＶＨＴ−ＳＴＦ５２０、ＶＨＴ−ＬＴＦ５４０及びＶＨＴ−ＳＩＧ−Ｂ５６０は、ＶＨＴフォーマットＰＰＤＵにのみ含まれることができる。
【００４９】
ＶＨＴ−ＳＩＧ−Ａ５００は、ＶＨＴフォーマットＰＰＤＵを解析するための情報を含むことができる。ＶＨＴ−ＳＩＧ−Ａ５００は、ＶＨＴ−ＳＩＧ−Ａ１及びＶＨＴ−ＳＩＧ−Ａ２を含むことができる。ＶＨＴ−ＳＩＧ−Ａ１は、使用するチャネルの帯域幅情報、空間時間ブロックコーディングの適用可否、ＭＵ（ｍｕｌｔｉ−ｕｓｅｒ）−ＭＩＭＯでグルーピングされたＳＴＡの送信に使われるグループを指示するグループＩＤ（ｉｄｅｎｔｉｆｉｅｒ）及び使われるストリームの個数に対する情報などを含むことができる。
【００５０】
ＶＨＴ−ＳＩＧ−Ａ２は、短いガードインターバル（ｇｕａｒｄ  ｉｎｔｅｒｖａｌ、ＧＩ）使用可否に対する情報、フォワードエラー訂正（ＦＥＣ；ｆｏｒｗａｒｄ  ｅｒｒｏｒ  ｃｏｒｒｅｃｔｉｏｎ）情報、単一ユーザに対するＭＣＳ（ｍｏｄｕｌａｔｉｏｎ  ａｎｄ  ｃｏｄｉｎｇ  ｓｃｈｅｍｅ）に対する情報、複数ユーザに対するチャネルコーディングの種類に対する情報、ビーム形成関連情報、ＣＲＣ（ｃｙｃｌｉｃ  ｒｅｄｕｎｄａｎｃｙ  ｃｈｅｃｋｉｎｇ）のための冗長ビット（ｒｅｄｕｎｄａｎｃｙ  ｂｉｔｓ）と畳み込みデコーダ（ｃｏｎｖｏｌｕｔｉｏｎａｌ  ｄｅｃｏｄｅｒ）のテールビット（ｔａｉｌ  ｂｉｔ）などを含むことができる。
【００５１】
ＶＨＴ−ＳＴＦ５２０は、ＭＩＭＯ環境で自動利得制御推定（ａｕｔｏｍａｔｉｃ  ｇａｉｎ  ｃｏｎｔｒｏｌ  ｅｓｔｉｍａｔｉｏｎ）を向上させるために使われることができる。
【００５２】
ＶＨＴ−ＬＴＦ５４０は、ＭＩＭＯ環境でチャネルを推定するために使われる。
【００５３】
ＶＨＴ−ＳＩＧ−Ｂ５６０は、各ＳＴＡに対する情報、即ち、ＰＳＤＵの長さとＭＣＳに対する情報、テールビットなどを含むことができる。
【００５４】
図６は、各々のＰＰＤＵに含まれているフィールドを送信する方法を示す概念図である。
【００５５】
図６では各々のＰＰＤＵ（ｎｏｎ−ＨＴフォーマットＰＰＤＵ６００、ＨＴフォーマットＰＰＤＵ６２０またはＶＨＴフォーマットＰＰＤＵ６４０）に含まれているフィールドの変調方法に対して開示する。ＳＴＡは、受信したＰＰＤＵに含まれているフィールドの変調方法に基づいてＰＰＤＵを区分することができる。ＰＰＤＵを区分するという意味（または、ＰＰＤＵのフォーマットを区分するという意味）は、多様な意味を有することができる。例えば、ＰＰＤＵを区分するという意味は、受信したＰＰＤＵがＳＴＡによりデコーディング（または、解析）が可能なＰＰＤＵかどうかに対して判断するという意味を含むことができる。また、ＰＰＤＵを区分するという意味は、受信したＰＰＤＵがＳＴＡによりサポート可能なＰＰＤＵかどうかに対して判断するという意味である。または、ＰＰＤＵを区分するという意味は、受信したＰＰＤＵを介して送信された情報がどのような情報かを区分するという意味として解釈されることもできる。
【００５６】
もし、ＰＰＤＵが互いに異なるフォーマットである場合、Ｌ−ＳＩＧ以後のフィールドに対する変調方法が互いに異なる。ＳＴＡは、受信したＰＰＤＵに含まれているＬ−ＳＩＧ以後のフィールドに対する変調方法に基づいてＰＰＤＵのフォーマットを区分することができる。
【００５７】
図６の上段に示すｎｏｎ−ＨＴフォーマットＰＰＤＵ６００において、Ｌ−ＳＩＧに対する変調方法は、ＢＰＳＫ（ｂｉｎａｒｙ  ｐｈａｓｅ  ｓｈｉｆｔ  ｋｅｙｉｎｇ）である。具体的に、Ｌ−ＳＩＧに対応されるＯＦＤＭシンボル６０５を介して送信されるデータは、ＢＰＳＫコンスタレーションに基づいて生成されることができる。
【００５８】
図６の中段に示すＨＴフォーマットＰＰＤＵ６２０において、Ｌ−ＳＩＧ以後のＨＴ−ＳＩＧに対する変調方法は、ＱＢＰＳＫである。具体的に、ＨＴ−ＳＩＧに対応される第１のＯＦＤＭシンボル６２３及び第２のＯＦＤＭシンボル６２６を介して送信されるデータは、ＱＢＰＳＫコンスタレーションに基づいて生成されることができる。ＱＢＰＳＫコンスタレーションは、ＢＰＳＫコンスタレーションを基準に反時計方向に９０度ほど回転したコンスタレーションである。ＳＴＡは、受信したフィールドに対する変調方法に基づいてＰＰＤＵを区分することができる。
【００５９】
例えば、ＳＴＡは、受信されたデータのＩ（ｉｎ−ｐｈａｓｅ）／Ｑ（ｑｕａｄｒａｔｕｒｅ）の信号電力比に基づいてＨＴ−ＳＩＧの開始点を探知することができる。具体的な例として、ＳＴＡは、受信されたデータに使われた変調方法の変化（または、コンスタレーションの変化）に基づいてＨＴ−ＳＩＧを探知することができる。また、ＳＴＡは、受信されたデータに使われた変調方法（または、コンスタレーション）に対する情報に基づいて受信されたＰＰＤＵがｎｏｎ−ＨＴフォーマットＰＰＤＵか、ＨＴフォーマットＰＰＤＵかを決定することができる。
【００６０】
図６の下段に示すＶＨＴフォーマットＰＰＤＵ６４０では、Ｌ−ＳＩＧ以後のＶＨＴ−ＳＩＧ−Ａに対する変調方法は、ＢＰＳＫ及びＱＢＰＳＫである。具体的に、ＶＨＴ−ＳＩＧ−Ａに対応される第１のＯＦＤＭシンボル６４３を介して送信されるデータは、ＢＰＳＫコンスタレーション、ＶＨＴ−ＳＩＧ−Ａに対応される第２のＯＦＤＭシンボル６４６を介して送信されるデータは、ＱＢＰＳＫコンスタレーションに基づいて生成されることができる。
【００６１】
同様に、ＳＴＡは、受信されたデータに使われた変調方法の変化（または、コンスタレーションの変化）に基づいてＶＨＴ−ＳＩＧ−Ａを探知することができる。また、ＳＴＡは、受信されたデータに使われた変調方法（または、コンスタレーション）に対する情報に基づいて受信されたＰＰＤＵがｎｏｎ−ＨＴフォーマットＰＰＤＵか、ＨＴフォーマットＰＰＤＵか、またはＶＨＴフォーマットＰＰＤＵかを決定することができる。
【００６２】
ＰＰＤＵを区分するためのＰＰＤＵフォーマット別フィールドに対する変調方法を自動探知規則（ａｕｔｏ−ｄｅｔｅｃｔｉｏｎ  ｒｕｌｅ）という用語で表現できる。自動探知規則により受信されたフィールドに対する変調方法に基づき、ＳＴＡは、ＰＰＤＵを区分することができる。
【００６３】
以下、本発明の実施例では受信したＰＰＤＵに含まれているフィールドの変調方法に基づいて既存のＰＰＤＵ（ｎｏｎ−ＨＴフォーマットＰＰＤＵ、ＨＴフォーマットＰＰＤＵまたはＶＨＴフォーマットＰＰＤＵ）を区分することだけでなく、次世代無線ＬＡＮであるＨＥＷ（Ｈｉｇｈ  ｅｆｆｉｃｉｅｎｃｙ  ＷｉｒｅｌｅｓｓＬＡＮ）で定義されたＨＥＷフォーマットＰＰＤＵを区分するための方法に対して開示する。
【００６４】
以下、本発明では、説明の便宜上、次世代無線ＬＡＮをＨＥＷ（Ｈｉｇｈ  ｅｆｆｉｃｉｅｎｃｙ  ＷｉｒｅｌｅｓｓＬＡＮ）、ＨＥＷをサポートするフレームをＨＥＷフレーム、ＨＥＷをサポートするＰＰＤＵをＨＥＷフォーマットＰＰＤＵ、ＨＥＷをサポートするＳＴＡをＨＥＷ  ＳＴＡという用語で表現できる。
【００６５】
また、ｎｏｎ−ＨＴフォーマットＰＰＤＵ、ＨＴフォーマットＰＰＤＵまたはＶＨＴフォーマットＰＰＤＵなどのＨＥＷフォーマットＰＰＤＵを除外した残りのＰＰＤＵをレガシーフォーマットＰＰＤＵ、レガシーフォーマットＰＰＤＵに送信及び受信されるフレームをレガシーフレーム、レガシーフォーマットＰＰＤＵのみをサポートするＳＴＡをレガシーＳＴＡという用語で表現できる。
【００６６】
ＨＥＷフォーマットＰＰＤＵが使われる場合、ＨＥＷフォーマットＰＰＤＵは、既存無線ＬＡＮシステムをサポートするレガシーＳＴＡのためのレガシーフォーマットＰＰＤＵと共存する環境で、データを送信及び受信するために使われることができる。このような環境で、レガシーＳＴＡは、ＨＥＷに対する後方互換性がない。したがって、レガシーＳＴＡに影響がないようにＨＥＷフォーマットＰＰＤＵが定義されなければならない。
【００６７】
従来の自動探知規則では受信したＰＰＤＵのＬ−ＳＩＧ以後に位置したフィールドに対する変調方法を異なるように設定することで、互いに異なるフォーマットのＰＰＤＵ間に区分が可能となるようにした。
【００６８】
ＨＥＷフォーマットＰＰＤＵが使われる場合、従来の自動探知規則を維持しながら、ＳＴＡがＨＥＷフォーマットＰＰＤＵを区分するための方法が必要である。即ち、ネスティド（ｎｅｓｔｅｄ）方式（従来方式を維持しながら、新しい方法を導入）にＨＥＷをサポートするためのＨＥＷフォーマットＰＰＤＵを定義する必要がある。
【００６９】
以下、本発明の実施例ではネスティド（ｎｅｓｔｅｄ）方式（従来方式を維持しながら、新しい方法を導入する方式）にＨＥＷをサポートするためのＨＥＷフォーマットＰＰＤＵに対して開示する。
【００７０】
図７は、本発明によるＨＥＷフォーマットＰＰＤＵを示す概念図である。
【００７１】
図７を参照すると、ＨＥＷフォーマットＰＰＤＵは、便宜上、Ｌ−ＳＩＧまでのレガシー部分（ｌｅｇａｃｙ  ｐａｒｔ）とＬ−ＳＩＧ以後のＨＥＷ部分（ＨＥＷ  ｐａｒｔ）に区分されることができる。例えば、ＨＥＷ部分は、ＨＥＷ−ＳＩＧ、ＨＥＷ−ＳＴＦ、ＨＥＷ−ＬＴＦ、ＨＥＷ−ＳＩＧ２のようなＨＥＷをサポートするためのフィールドを含むことができる。このようなＨＥＷをサポートするためのフィールドは、レガシー部分を除外したＨＥＷフォーマットＰＰＤＵを解析するためのフィールドの例示である。レガシー部分のＬ−ＳＩＧ以後にはＨＥＷ−ＳＩＧが位置できる。ＨＥＷ−ＳＩＧに含まれることができる情報に対しては後述する。
【００７２】
本発明の実施例によると、ＨＥＷフォーマットＰＰＤＵとレガシーフォーマットＰＰＤＵを区分するために、下記のような変調方法に基づいてＬ−ＳＩＧ及びＨＥＷ−ＳＩＧを生成することができる。
【００７３】
ＨＥＷフォーマットＰＰＤＵで、Ｌ−ＳＩＧに対する変調方法はＢＰＳＫである。具体的に、Ｌ−ＳＩＧに対応されるＯＦＤＭシンボル（基準ＯＦＤＭシンボル）７１０を介して送信されるデータは、ＢＰＳＫコンスタレーション（基準コンスタレーション）に基づいて生成されることができる。他の表現として、Ｌ−ＳＩＧに対応されるＯＦＤＭシンボルではＢＰＳＫコンスタレーションが使われることができる。本発明の実施例ではＬ−ＳＩＧが一つのＯＦＤＭシンボルに対応されると説明するが、もし、Ｌ−ＳＩＧが複数のＯＦＤＭシンボルに対応される場合、基準ＯＦＤＭシンボルは、Ｌ−ＳＩＧに対応される複数のＯＦＤＭシンボルのうち最後のＯＦＤＭシンボルである。
【００７４】
ＨＥＷフォーマットＰＰＤＵで、ＨＥＷ−ＳＩＧに対する変調方法はＱＢＰＳＫ及びＢＰＳＫである。具体的に、ＨＥＷ−ＳＩＧに対応される１番目のＯＦＤＭシンボル（第１のＯＦＤＭシンボル）７２０を介して送信されるデータは、ＱＢＰＳＫコンスタレーションに基づいて生成されることができる。他の表現として、ＨＥＷ−ＳＩＧに対応される１番目のＯＦＤＭシンボルではＱＢＰＳＫコンスタレーションが使われることができる。ＱＢＰＳＫコンスタレーションは、ＢＰＳＫコンスタレーションと比較して９０度ほど回転されたコンスタレーションである。
【００７５】
ＨＥＷ−ＳＩＧに対応される２番目のＯＦＤＭシンボル（第２のＯＦＤＭシンボル）７３０を介して送信されるデータは、ＢＰＳＫコンスタレーションに基づいて生成されることができる。他の表現として、ＨＥＷ−ＳＩＧに対応される２番目のＯＦＤＭシンボルではＢＰＳＫコンスタレーションが使われることができる。
【００７６】
本発明の実施例に示すＢＰＳＫ、ＱＢＰＳＫは、互いに異なる変調方法に対する一つの例示である。他の用語として、ＢＰＳＫは基準変調方法、ＱＢＰＳＫは回転変調方法という用語として解釈されることができる。基準変調方法は、他の変調方法と比較するための基準となる変調方法であって、基準変調方法のためのコンスタレーションを基準コンスタレーションという用語で表現できる。回転変調方法は、基準コンスタレーションを基準に一定角度に回転されたコンスタレーションを使用する変調方法である。本発明の実施例では、説明の便宜上、主にＢＰＳＫ及びＱＢＰＳＫを基準に変調方法の変化に対して開示する。
【００７７】
以下の表１は、レガシーフォーマットＰＰＤＵとＨＥＷフォーマットＰＰＤＵに含まれているフィールドを送信するＯＦＤＭシンボルで使われたコンスタレーションに対して示す。
【００７８】
【表１】
2016519479.tif 000003
【００７９】
表１を参照すると、ＳＴＡは、受信したＰＰＤＵを送信するＯＦＤＭシンボル（例えば、基準ＯＦＤＭシンボル、第１のＯＦＤＭシンボルまたは第２のＯＦＤＭシンボル）で送信されるデータに対する変調方法（または、ＯＦＤＭシンボルで使われたコンスタレーション）を判断することで、受信したＰＰＤＵを区分することができる。他の表現として、ＳＴＡは、受信したＰＰＤＵを送信するＯＦＤＭシンボルで使用したコンスタレーションの回転を判断することで、受信したＰＰＤＵを区分することができる。以下、本発明の実施例ではＯＦＤＭシンボルで使われたコンスタレーションを判断することで、ＳＴＡが受信したＰＰＤＵを区分する方法に対して開示するが、ＯＦＤＭシンボルで使われたコンスタレーションの回転を判断することで、ＳＴＡが受信したＰＰＤＵを区分することができる。
【００８０】
以下、ＳＴＡが受信したＰＰＤＵを区分するための判断過程を例示的に示す。
【００８１】
ＨＥＷ  ＳＴＡがＰＰＤＵを受信する場合を仮定すると、ＨＥＷ  ＳＴＡは、第１のＯＦＤＭシンボルで使われたコンスタレーションがＱＢＰＳＫコンスタレーションでない場合、受信したＰＰＤＵをＶＨＴフォーマットＰＰＤＵまたはｎｏｎ−ＨＴフォーマットＰＰＤＵに区分できる。ＨＥＷ  ＳＴＡは、追加的に第２のＯＦＤＭシンボルでＱＢＰＳＫコンスタレーションが使われたかどうかを判断することができる。第２のＯＦＤＭシンボルでＱＢＰＳＫコンスタレーションが使われた場合、受信したＰＰＤＵをＶＨＴフォーマットＰＰＤＵと判断できる。
【００８２】
また、ＨＥＷ  ＳＴＡは、第１のＯＦＤＭシンボルがＱＢＰＳＫである場合、第２のＯＦＤＭシンボルで使われたコンスタレーションを追加的に判断することでＰＰＤＵを区分することができる。例えば、ＨＥＷ  ＳＴＡは、第２のＯＦＤＭシンボルでＢＰＳＫコンスタレーションが使われたか、ＱＢＰＳＫコンスタレーションが使われたかを判断することができる。ＨＥＷ  ＳＴＡは、第２のＯＦＤＭシンボルでＱＢＰＳＫコンスタレーションが使われた場合、受信したＰＰＤＵをＨＴフォーマットＰＰＤＵと判断し、第２のＯＦＤＭシンボルでＢＰＳＫコンスタレーションが使われた場合、受信したＰＰＤＵをＨＥＷフォーマットＰＰＤＵと判断できる。
【００８３】
同様に、レガシーＳＴＡがＰＰＤＵを受信した場合を仮定すると、基準ＯＦＤＭシンボル以後の第１のＯＦＤＭシンボルまたは第２のＯＦＤＭシンボルまで使われたコンスタレーションを判断することで、受信したＰＰＤＵを区分することができる。
【００８４】
例えば、ｎｏｎ−ＨＴ  ＳＴＡは、第１のＯＦＤＭシンボル及び／または第２のＯＦＤＭシンボルのうち少なくとも一つのＯＦＤＭシンボルでＱＢＰＳＫコンスタレーションが使われない場合、受信したＰＰＤＵをｎｏｎ−ＨＴフォーマットＰＰＤＵと判断できる。ＨＴ  ＳＴＡは、第１のＯＦＤＭシンボル及び第２のＯＦＤＭシンボルでＱＢＰＳＫコンスタレーションが使われた場合、受信したＰＰＤＵをＨＴフォーマットＰＰＤＵと判断できる。ＶＨＴ  ＳＴＡは、第１のＯＦＤＭシンボルでＢＰＳＫコンスタレーションが使われ、第２のＯＦＤＭシンボルでＱＢＰＳＫコンスタレーションが使われる場合、受信したＰＰＤＵをＶＨＴフォーマットＰＰＤＵと判断できる。
【００８５】
レガシーＳＴＡは、既存に定義された自動探知方法に基づいてＰＰＤＵを区分し、既存の自動探知方法にＰＰＤＵが区分されない場合（例えば、受信したＰＰＤＵがＨＥＷフォーマットＰＰＤＵである場合）、チャネルアクセスを遅延することができる。
【００８６】
表１のようなＯＦＤＭシンボルで使われるコンスタレーションの回転に基づき、レガシーＳＴＡは、既存と同じ方式にＰＰＤＵを区分し、ＨＥＷ  ＳＴＡは、ＨＥＷフォーマットＰＰＤＵを区分することができる。
【００８７】
ＳＴＡがレガシーフォーマットＰＰＤＵ及びＨＥＷフォーマットＰＰＤＵに含まれているＯＦＤＭシンボルに使われたコンスタレーションを判断するためには多様な方法を使用することができる。例えば、ＯＦＤＭシンボルを介して送信された変調シンボルの実数部分（ｒｅａｌ  ｐａｒｔ）と虚数部分（ｉｍａｇｉｎａｒｙ  ｐａｒｔ）の平均（ｎｏｒｍ）値を予め設定した閾値と比較して変調シンボルを生成するために使われたコンスタレーションがＢＰＳＫコンスタレーションか、ＱＢＰＳＫコンスタレーションかを判断することができる。
【００８８】
ＨＥＷでは図７に示すコンスタレーションだけでなく、他の多様なコンスタレーションの組合せがＰＰＤＵを生成するために使われることができる。
【００８９】
図８は、本発明によるＨＥＷフォーマットＰＰＤＵを示す概念図である。
【００９０】
ＯＦＤＭシンボルで前述した表１に示すコンスタレーションが使われる場合、ＨＥＷフォーマットＰＰＤＵとＨＴフォーマットＰＰＤＵを送信する基準ＯＦＤＭシンボル及び第１のＯＦＤＭシンボルで使われるコンスタレーションが同じである。したがって、もし、ＨＴ  ＳＴＡが基準ＯＦＤＭシンボル及び第１のＯＦＤＭシンボルまでのみ自動探知する場合、ＨＴ  ＳＴＡは、受信したＰＰＤＵがＨＴフォーマットＰＰＤＵか、ＨＥＷフォーマットＰＰＤＵかを区分することができない。
【００９１】
図８ではＨＴ  ＳＴＡがＬ−ＳＩＧに対応されるＯＦＤＭシンボル（基準ＯＦＤＭシンボル）及びＨＴ−ＳＩＧに対応される１番目のＯＦＤＭシンボル（第１のＯＦＤＭシンボル）までのみを探知して受信したＰＰＤＵがＨＴフォーマットＰＰＤＵかどうかを区分するための方法に対して開示する。図８において、ＨＥＷ−ＳＩＧは、３個のＯＦＤＭシンボル（第１のＯＦＤＭシンボル８２０、第２のＯＦＤＭシンボル８３０、第３のＯＦＤＭシンボル８４０）に対応されるフィールドと仮定する。ＨＥＷシステムではＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＵＬ（ｕｐｌｉｎｋ）ＭＵ（ｍｕｌｔｉ−ｕｓｅｒ）−ＭＩＭＯ（ｍｕｌｔｉｐｌｅ  ｉｎｐｕｔ  ｍｕｌｔｉｐｌｅ  ｏｕｔｐｕｔ）などのような既存無線ＬＡＮシステムで使用できなかった新しい技術が使われることができる。また、ＨＥＷシステムでは複数のＡＰ及び複数のＳＴＡが存在する密集された環境（ｄｅｎｓｅ）で通信性能の改善のための技術が使われることができる。したがって、ＨＥＷシステムでは既存の無線ＬＡＮと異なる機能のための追加的な情報及び／またはフィールドが定義されることができる。したがって、ＨＥＷ−ＳＩＧは、既存の２シンボルでない拡張された３シンボル以上で構成されることができる。
【００９２】
以下の表２は、レガシーフォーマットＰＰＤＵとＨＥＷフォーマットＰＰＤＵに含まれているフィールドを送信するＯＦＤＭシンボルで使われたコンスタレーションを示す。
【００９３】
【表２】
2016519479.tif 000004
【００９４】
表２を参照すると、ＨＴ−ＳＩＧは、２個のＯＦＤＭシンボル（第１のＯＦＤＭシンボル、第２のＯＦＤＭシンボル）を介して送信されることができる。ＨＴ−ＳＩＧを送信する第１のＯＦＤＭシンボルと第２のＯＦＤＭシンボルが使用するコンスタレーションは、基準ＯＦＤＭシンボルが使用するコンスタレーションを基準に９０度回転されることができる。
【００９５】
ＶＨＴ−ＳＩＧは、２個のＯＦＤＭシンボル（第１のＯＦＤＭシンボル、第２のＯＦＤＭシンボル）を介して送信されることができる。ＶＨＴ−ＳＩＧを送信する第１のＯＦＤＭシンボルが使用するコンスタレーションは、基準ＯＦＤＭシンボルと同じコンスタレーションである。また、ＶＨＴ−ＳＩＧを送信する第２のＯＦＤＭシンボルが使用するコンスタレーションは、基準ＯＦＤＭシンボルが使用するコンスタレーションを基準に９０度回転したコンスタレーションである。
【００９６】
本発明の実施例によると、ＨＥＷ−ＳＩＧは、３個のＯＦＤＭシンボル（第１のＯＦＤＭシンボル８２０、第２のＯＦＤＭシンボル８３０及び第３のＯＦＤＭシンボル８４０）を介して送信されることができる。ＨＥＷ−ＳＩＧを送信する第１のＯＦＤＭシンボル８２０と第２のＯＦＤＭシンボル８３０で使われるコンスタレーションは、基準ＯＦＤＭシンボル８１０が使用するコンスタレーションと同じコンスタレーションを使用することができる。ＨＥＷ−ＳＩＧを送信する第３のＯＦＤＭシンボル８４０で使われるコンスタレーションは、基準ＯＦＤＭシンボル８１０が使用するコンスタレーションを基準に反時計方向に９０度回転されたコンスタレーションである。ＨＥＷ−ＳＩＧは、３個以上のＯＦＤＭシンボルで送信されることもできるが、説明の便宜上、３個のＯＦＤＭシンボルを介して送信されると仮定する。
【００９７】
表２のようなＨＥＷ−ＳＩＧを送信するＯＦＤＭシンボルで使われるコンスタレーションが決定された場合、レガシーＳＴＡ及びＨＥＷ  ＳＴＡが受信したＰＰＤＵを区分するための判断過程を例示的に示す。
【００９８】
レガシーＳＴＡのうち、ＨＴ  ＳＴＡ及びＶＨＴ  ＳＴＡは、既存の自動探知規則に基づいて受信したＰＰＤＵを区分することができる。具体的に、ＨＴ  ＳＴＡは、基準ＯＦＤＭシンボル及び第１のＯＦＤＭシンボルを探知して第１のＯＦＤＭシンボルでＱＢＰＳＫコンスタレーションが使われた場合、受信したＰＰＤＵをＨＴフォーマットＰＰＤＵに区分できる。ＶＨＴ  ＳＴＡは、第１のＯＦＤＭシンボルでＢＰＳＫコンスタレーションが使われ、第２のＯＦＤＭシンボルでＱＢＰＳＫコンスタレーションが使われた場合、受信したＰＰＤＵをＶＨＴフォーマットＰＰＤＵに区分できる。レガシーＳＴＡのうち、ＨＴ  ＳＴＡ及びＶＨＴ  ＳＴＡは、もし、受信したＰＰＤＵがＨＴフォーマットＰＰＤＵまたはＶＨＴフォーマットＰＰＤＵでないことを知った場合、チャネルアクセスを遅延することができる。
【００９９】
レガシーＳＴＡのうち、ｎｏｎ−ＨＴ  ＳＴＡは、基準ＯＦＤＭシンボルから第３のＯＦＤＭシンボルまで探知した結果、第３のＯＦＤＭシンボルでＱＢＰＳＫコンスタレーションが使われた場合、受信したＰＰＤＵをｎｏｎ−ＨＴフォーマットＰＰＤＵでないと区分できる。このような場合、ｎｏｎ−ＨＴ  ＳＴＡもチャネルアクセスを遅延することができる。
【０１００】
ＨＥＷ  ＳＴＡは、第３のＯＦＤＭシンボルまで使われたコンスタレーションを判断してＰＰＤＵに対する区分を実行することができる。ＨＥＷ  ＳＴＡは、基準ＯＦＤＭシンボル乃至第２のＯＦＤＭシンボルで使われたコンスタレーションに基づいてＨＴフォーマットＰＰＤＵ及びＶＨＴフォーマットＰＰＤＵを区分することができる。また、ＨＥＷ  ＳＴＡは、第３のＯＦＤＭシンボルで使われたコンスタレーションに基づいてｎｏｎ−ＨＴフォーマットＰＰＤＵとＨＥＷフォーマットＰＰＤＵを区分することができる。
【０１０１】
表２のようなコンスタレーションだけでなく、ＨＥＷフォーマットＰＰＤＵを他のフォーマットのＰＰＤＵと区分するために、基準ＯＦＤＭシンボル乃至第３のＯＦＤＭシンボルで以下のような多様なコンスタレーション（ｃａｓｅ１乃至ｃａｓｅ６）が使われることができる。
【０１０２】
【表３】
2016519479.tif 000005
【０１０３】
ＨＥＷフォーマットＰＰＤＵの場合、レガシーフォーマットＰＰＤＵと違って、ＨＥＷ−ＳＩＧは、３個ＯＦＤＭシンボルを介して送信されることができる。したがって、表３のように基準ＯＦＤＭシンボル乃至第３のＯＦＤＭシンボルで使われたコンスタレーションに基づいてＨＥＷ  ＳＴＡがＨＥＷフォーマットＰＰＤＵに対する区分を実行することができる。本発明の実施例によると、ＨＥＷ−ＳＩＧに対応される第１のＯＦＤＭシンボル乃至第３のＯＦＤＭシンボルのうち少なくとも一つのシンボルでＱＢＰＳＫコンスタレーションを使用することができる。
【０１０４】
ＨＥＷをサポートするために、ＨＥＷ−ＳＩＧのようなシグナルフィールドは多様な情報を含むことができる。例えば、ＯＦＤＭＡに基づいてチャネルアクセスを実行する場合、ＳＴＡのデータ送信及び受信のための周波数リソース（例えば、チャネル）に対する情報、ダウンリンクリソース割当及びアップリンクリソース割当情報などがシグナルフィールドを介して送信されることができる。また、シグナルフィールドは、アップリンクＭＩＭＯをサポートするための情報を含むこともできる。また、シグナルフィールドは、干渉（ｉｎｔｅｒｆｅｒｅｎｃｅ）が深刻なＳＴＡが密集された（ｄｅｎｓｅ）環境で干渉管理（ｉｎｔｅｒｆｅｒｅｎｃｅ  ｍａｎａｇｅｍｅｎｔ）のための情報を含むこともできる。以下、本発明の実施例ではシグナルフィールドに含まれる情報の具体的な例に対して開示する。
【０１０５】
図９は、本発明の実施例による無線通信方法を示す概念図である。
【０１０６】
ＨＥＷは、多重アクセス方式にＯＦＤＭＡをサポートすることができる。
【０１０７】
ＨＥＷでは、レガシー無線ＬＡＮと違って、複数のＳＴＡの各々に割り当てられた周波数リソースに基づいて複数のＳＴＡが同時にＡＰと通信することができる。
【０１０８】
図９を参照すると、第１のＳＴＡ９１０は、第１の周波数帯域９１５、第２のＳＴＡ９２０は第２の周波数帯域９２５、第３のＳＴＡ９３０は第３の周波数帯域９３５の割当を受け、各々の周波数帯域を介してＡＰと通信できる。
【０１０９】
ＡＰは、複数のＳＴＡの各々に通信のための周波数帯域を割り当てることができる。複数のＳＴＡの各々に割り当てられる周波数帯域は、多様な単位の周波数リソースである。例えば、複数のＳＴＡの各々に割り当てられる周波数帯域は、特定帯域（例えば、２．４ＧＨｚ帯域、５ＧＨｚ帯域または６０ＧＨｚ帯域）で定義される複数のチャネルのうち一つである。または、複数のＳＴＡの各々に割り当てられる周波数帯域は、一つのチャネルを下位単位に分割したリソースである。
【０１１０】
ＳＴＡ別に割り当てられる周波数帯域に対する情報は、ＨＥＷフォーマットＰＰＤＵを介して送信されることができる。例えば、ＨＥＷフォーマットＰＰＤＵに含まれるＨＥＷ−ＳＩＧ（または、シグナルフィールド）は、複数のＳＴＡの各々に割り当てられる周波数帯域に関連した情報を含むことができる。具体的に、ＨＥＷ−ＳＩＧは、チャネル割当フィールドを含むことができ、チャネル割当フィールドは、ＳＴＡに割り当てられるチャネルに対する情報を含むことができる。
【０１１１】
例えば、ＡＰは、ＨＥＷフォーマットＰＰＤＵのＨＥＷ−ＳＩＧを介して個別ＳＴＡに割り当てられるチャネルに対する情報をＳＴＡに送信することができる。他の例として、ＡＰは、ＨＥＷ−ＳＩＧを介してＳＴＡの識別子（例えば、ＧＩＤ（ｇｒｏｕｐ  ＩＤ）、ＡＩＤ（ａｓｓｏｃｉａｔｉｏｎ  ＩＤ））に基づいて割り当てられる周波数帯域に対する情報を送信することもできる。具体的に、ＡＰは、第１のＧＩＤに対応されるＳＴＡに対しては第１のチャネルを割り当て、第２のＧＩＤに対応されるＳＴＡに対しては第２のチャネルを割り当てる方式に、複数のＳＴＡに対するチャネルを割り当てることができる。このような方法を使用することによって、複数のＳＴＡを各々のチャネルに分散し、各チャネルでアクセスするＳＴＡを分散させることができる。
【０１１２】
以下の表４は、チャネル割当に対する情報を送信するＨＥＷ−ＳＩＧのチャネル割当フィールドを例示的に示す。
【０１１３】
【表４】
2016519479.tif 000006
【０１１４】
表４のチャネル割当フィールドは、複数のＳＴＡの各々に対するチャネル割当情報を送信するための一つの例示である。ＨＥＷ−ＳＩＧには他の多様な方式に複数のＳＴＡが互いに異なる周波数リソースで同時にチャネルアクセスをサポートするための他の情報が含まれることができる。
【０１１５】
ＡＰは、チャネルの負荷によって、ＨＥＷ−ＳＩＧに含まれるチャネル割当フィールドの情報を変化させることによって、複数のＳＴＡが特定チャネルに過度に集中しないようにすることができる。
【０１１６】
図１０は、本発明の実施例によるＨＥＷで無線通信方法を示す概念図である。
【０１１７】
図１０では複数のＳＴＡの各々に対するチャネル割当情報を送信するための他の方法に対して開示する。例えば、ＡＰは、グループ識別子管理フレームを介してＳＴＡに対するグループ識別子フィールド及びＳＴＡに対するユーザチャネル位置フィールドを送信することで、ＳＴＡのグループを設定し、ＳＴＡの各々に対するチャネルを割り当てることができる。
【０１１８】
図１０を参照すると、ＡＰは、グループ識別子管理フレーム（ｇｒｏｕｐ  ＩＤ  ｍａｎａｇｅｍｅｎｔ  ｆｒａｍｅ）をＳＴＡに送信することができる（ステップＳ１０００）。
【０１１９】
グループ識別子管理フレームは、グループ識別子フィールド及びユーザチャネル位置フィールドを含むことができる。
【０１２０】
図１１は、本発明の実施例によるグループ識別子フィールド及びユーザチャネル位置フィールドに対する概念図である。
【０１２１】
図１１の上段を参照すると、グループ識別子フィールド１１００は、各々のグループ識別子を指示する複数の下位フィールド（グループ識別子０指示子乃至グループ識別子６３指示子）をアレイ形態に含むことができる。ＳＴＡのグループ識別子を指示するために、グループ識別子フィールド１１００で、ＳＴＡのグループ識別子に該当するグループ識別子ｘ指示子は、１に設定できる。ＳＴＡのグループ識別子に該当しないグループ識別子ｙ指示子は、０に設定できる。例えば、ＳＴＡのグループ識別子が１の場合、グループ識別子フィールド１１００で、グループ識別子１指示子が１に設定されることができ、グループ識別子フィールドは、‘０１００００…０’に設定されることができる。
【０１２２】
図１１の下段を参照すると、ユーザチャネル位置フィールド１１５０は、特定グループに含まれているユーザに割り当てられるユーザチャネル位置を指示する複数の下位フィールド（ユーザチャネル位置情報ｉｎ  ＧＩＤ  １乃至ユーザチャネル位置情報ｉｎ  ＧＩＤ  ６３）をアレイ形態に含むことができる。ＳＴＡは、ユーザチャネル位置フィールド１１５０で、自分のグループ識別子に基づいて指示される下位フィールドに含まれているユーザチャネル位置情報を取得することができる。例えば、ＳＴＡのグループ識別子が１の場合、ユーザチャネル位置情報ｉｎ  ＧＩＤ  １でＳＴＡのユーザチャネル位置情報を取得することができる。
【０１２３】
ＳＴＡは、グループ識別子管理フレームに基づいて取得したユーザチャネル位置情報と、以後受信するＨＥＷ−ＳＩＧフィールドのチャネル割当情報とに基づいてＳＴＡに割り当てられたチャネルに対する情報を取得することができる。この方法に対しては後述する。
【０１２４】
以下の表５は、下位フィールド（ユーザチャネル位置情報ｉｎ  ＧＩＤ  ｘ）のビット値に対応されるユーザチャネル位置情報を示す。
【０１２５】
【表５】
2016519479.tif 000007
【０１２６】
例えば、ＳＴＡがグループ識別子１に該当する場合、ＡＰは、ユーザチャネル位置フィールドで、グループ識別子フィールド１に対応されるユーザチャネル位置情報ｉｎ  ＧＩＤ  １を介してＳＴＡのチャネル位置情報を送信することができる。ユーザチャネル位置情報ｉｎ  ＧＩＤ  １の値が‘００’である場合、ＳＴＡは、ユーザチャネル位置情報を０に割当を受けることができる。
【０１２７】
また、図１０を参照すると、ＡＰは、ＳＴＡにＨＥＷフォーマットＰＰＤＵを送信する（ステップＳ１０１０）。
【０１２８】
ＡＰは、ＨＥＷ−ＳＩＧが含まれているＨＥＷフォーマットＰＰＤＵをＳＴＡに送信することができる。ＨＥＷ−ＳＩＧにはＳＴＡに割り当てられるチャネル割当情報を含むことができる。以下の表６は、ＨＥＷ−ＳＩＧに含まれるチャネル割当情報を示す。
【０１２９】
【表６】
2016519479.tif 000008
【０１３０】
表６のチャネル割当情報は、図１０の下段に示されている。即ち、チャネル割当情報に対応される１２ビットは、３ビット単位に分けられてユーザチャネル位置情報（０，１，２，３）によるチャネル情報を伝達することができる。前記のような方法を使用することによって、同じグループに含まれている複数のＳＴＡが使用するチャネルに対する情報をＨＥＷ−ＳＩＧを介して送信することができる。
【０１３１】
具体的な例として、前述した例のように、ユーザチャネル位置情報が０の場合、ＳＴＡは、チャネル割当情報の第１のビットから第３のビットに該当するビット情報に基づいてチャネルの割当を受けることができる。例えば、第１のビット乃至第３のビットが‘０１０’である場合、ＳＴＡは、第２のチャネルの割当を受けることができる。同様に、他のＳＴＡのチャネル位置情報が３の場合、同じＨＥＷ−ＳＩＧを介して、他のＳＴＡは、チャネル割当情報の第１０のビットから第１２のビットに該当するビット情報に基づいてチャネルの割当を受けることができる。
【０１３２】
ＳＴＡは、割当を受けたチャネルを介してＨＥＷフォーマットＰＰＤＵを送信する（ステップＳ１０２０）。
【０１３３】
ＳＴＡは、取得したユーザチャネル位置情報と受信したＨＥＷ−ＳＩＧフィールドのチャネル割当情報に基づいて割当を受けたチャネルを介してＨＥＷフォーマットＰＰＤＵをＡＰに送信することができる。
【０１３４】
図１０及び図１１に示すチャネル割当情報に使われるビット数、各々のユーザチャネル位置情報によって割り当てられるビット数、チャネル位置情報のビット値などのような具体的な変数は一つの例示であり、その他の多様な変数が使われることができる。
【０１３５】
図１２は、本発明の実施例による無線通信方法を示す概念図である。
【０１３６】
図１２を参照すると、ＳＴＡ１２５０は、アップリンクＭＩＭＯを使用してＡＰ１２００にアップリンクデータを送信することができる。ＨＥＷ  ＳＴＡ１２５０がアップリンクＭＩＭＯをサポートする場合、多様な制御情報がＨＥＷ  ＰＰＤＵに含まれて送信されることができる。例えば、ＡＰ１２００は、ＨＥＷ−ＳＩＧにアップリンクＭＩＭＯが可能かどうかに対する情報をＨＥＷ  ＰＰＤＵに含んで送信できる。また、ＡＰ１２００は、アップリンクＭＩＭＯの実行時に使用可能な時空間ストリーム（ｓｐａｃｅ  ｔｉｍｅ  ｓｔｒｅａｍ）（または、空間ストリーム（ｓｐａｔｉａｌ  ｓｔｅａｍ））の個数に対する情報、アップリンクＭＩＭＯ時に使用するチャネルに対する情報をＨＥＷ−ＳＩＧに含んで送信できる。
【０１３７】
ＳＴＡ１２５０は、ＨＥＷ−ＳＩＧに基づいてアップリンクＭＩＭＯを実行するかどうか、アップリンクＭＩＭＯを実行する場合、使用する時空間ストリームの個数、アップリンクＭＩＭＯを実行するチャネルを決定することができる。
【０１３８】
例えば、ＳＴＡ１２５０は、受信したＨＥＷ−ＳＩＧに基づいて第１の周波数帯域を介して２個の空間的ストリームに基づいてアップリンクＭＩＭＯを実行することができる。
【０１３９】
以下の表７は、アップリンクＭＩＭＯ関連情報を送信するＨＥＷ−ＳＩＧフィールドを例示的に示す。
【０１４０】
【表７】
2016519479.tif 000009
【０１４１】
表７の情報は、一つの例示であり、表７に含まれている情報のうち少なくとも一つの情報が含まれることができる。また、ＨＥＷ−ＳＩＧにはＳＴＡのＵＬ−ＭＩＭＯをサポートするための他の情報が含まれることができる。
【０１４２】
図１３は、本発明の実施例によるＨＥＷで無線通信方法を示す概念図である。
【０１４３】
図１３ではＡＰが特定ＴＸＯＰを取得するＳＴＡのリストに対する情報をＳＴＡに送信する方法に対して開示する。
【０１４４】
図１３を参照すると、ＨＥＷではＡＰと複数のＳＴＡが同時に通信を実行することができ、ＡＰは、同時にデータを送信及び受信するＳＴＡに対する情報を送信することができる。
【０１４５】
ＡＰは、ＨＥＷ−ＳＩＧに同じＴＸＯＰを取得するＳＴＡの個数または同じＴＸＯＰを取得するＳＴＡのリストに対する情報を含んで送信できる。また、ＡＰは、ＨＥＷ−ＳＩＧを介してＴＸＯＰのデュレイション（ｄｕｒａｔｉｏｎ）に対する情報も送信することもできる。
【０１４６】
例えば、ＡＰ１３００は、特定識別子情報（例えば、ＧＩＤ）に対してＴＸＯＰを付与することができ、ＳＴＡは、ＨＥＷ−ＳＩＧに基づいてＡＰとデータを送信及び受信することが可能かどうかを判断することができる。ＡＰ１３００は、第１のＧＩＤに対応されるＳＴＡ１３１０、１３２０に対してＴＸＯＰを割り当て、その後、第２のＧＩＤに対応されるＳＴＡ１３３０に対してＴＸＯＰを割り当てることができる。
【０１４７】
以下の表８は、ＴＸＯＰ関連情報を送信するＨＥＷ−ＳＩＧフィールドを例示的に示す。
【０１４８】
【表８】
2016519479.tif 000010
【０１４９】
表８の情報は、一つの例示であり、表８に含まれている情報のうち少なくとも一つの情報が含まれることができる。また、ＨＥＷ−ＳＩＧにはＳＴＡに対するＴＸＯＰを設定するための他の情報が含まれることができる。
【０１５０】
図１４は、本発明の実施例によるＨＥＷで無線通信方法を示す概念図である。
【０１５１】
図１４を参照すると、ＨＥＷではＰＰＤＵに対するＨＡＲＱ（ｈｙｂｒｉｄ  ａｕｔｏｍａｔｉｃ  ｒｅｔｒａｎｓｍｉｔ  ｒｅｑｕｅｓｔ）に基づく再送信がサポートされることができる。
【０１５２】
このようなＨＡＲＱに基づく再送信をサポートするためには、ＳＴＡが送信するＰＰＤＵが以前に送信したＰＰＤＵか、新しく送信するＰＰＤＵかに対する識別情報、再送信回数に対する情報などが必要である。
【０１５３】
例えば、ＡＰ１４００がＳＴＡ１４５０にＰＰＤＵを再送信する場合、送信するＰＰＤＵが以前に送信したＰＰＤＵであることを指示するための再送信指示情報をＰＰＤＵに含んで送信できる。
【０１５４】
以下の表９は、再送信関連情報を送信するＨＥＷ−ＳＩＧフィールドを例示的に示す。
【０１５５】
【表９】
2016519479.tif 000011
【０１５６】
表９の情報は、一つの例示であり、ＨＥＷ−ＳＩＧにはＳＴＡの再送信をサポートするための他の情報が含まれることができる。
【０１５７】
図９乃至図１４に示す情報は、ＨＥＷ−ＳＩＧでない他のＨＥＷをサポートするためのフィールドに含まれることもできる。図９乃至図１４に示す情報は、多様に組み合わせてＨＥＷ−ＳＩＧに含まれることができる。また、図９乃至図１４に示す情報だけでなく、ＨＥＷをサポートするための他の多様な情報がＨＥＷ−ＳＩＧに含むこともできる
【０１５８】
図１５は、本発明の実施例が適用されることができる無線装置を示すブロック図である。
【０１５９】
図１５を参照すると、無線装置１５００は、前述した実施例を具現することができるＳＴＡであり、ＡＰ１５００または非ＡＰ  ＳＴＡ（ｎｏｎ−ＡＰ  ｓｔａｔｉｏｎ）（または、ＳＴＡ）１５５０である。
【０１６０】
ＡＰ１５００は、プロセッサ１５１０、メモリ１５２０及びＲＦ部（ｒａｄｉｏ  ｆｒｅｑｕｅｎｃｙ  ｕｎｉｔ）１５３０を含む。
【０１６１】
ＲＦ部１５３０は、プロセッサ１５１０と連結して無線信号を送信／受信することができる。
【０１６２】
プロセッサ１５１０は、本発明で提案された機能、過程及び／または方法を具現することができる。例えば、プロセッサ１５１０は、前述した本発明の実施例による無線装置の動作を実行するように具現されることができる。プロセッサは、図９乃至図１４の実施例に開示した無線装置の動作を実行することができる。
【０１６３】
例えば、プロセッサ１５１０は、複数のＯＦＤＭシンボルを介してシグナルフィールドを送信する時、複数のＯＦＤＭシンボルで送信されるデータを変調するために使われるコンスタレーションを互いに異なるように使用することができる。
【０１６４】
ＳＴＡ１５５０は、プロセッサ１５６０、メモリ１５７０及びＲＦ部（ｒａｄｉｏ  ｆｒｅｑｕｅｎｃｙ  ｕｎｉｔ）１５８０を含む。
【０１６５】
ＲＦ部１５８０は、プロセッサ１５６０と連結して無線信号を送信／受信することができる。
【０１６６】
プロセッサ１５６０は、本発明で提案された機能、過程及び／または方法を具現することができる。例えば、プロセッサ１５６０は、前述した本発明の実施例による無線装置の動作を実行するように具現されることができる。プロセッサは、図９乃至図１４の実施例に開示した無線装置の動作を実行することができる。
【０１６７】
例えば、プロセッサ１５６０は、複数のＯＦＤＭシンボルを介して送信されたシグナルフィールドで使われたコンスタレーションに基づいてＰＰＤＵを区分することができる。
【０１６８】
プロセッサ１５１０、１５６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１５２０、１５７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１５３０、１５８０は、無線信号を送信及び／または受信する一つ以上のアンテナを含むことができる。
【０１６９】
実施例がソフトウェアで具現される時、前述した技法は、前述した機能を遂行するモジュール（過程、機能など）で具現されることができる。モジュールは、メモリ１５２０、１５７０に格納され、プロセッサ１５１０、１５６０により実行されることができる。メモリ１５２０、１５７０は、プロセッサ１５１０、１５６０の内部または外部にあり、よく知られた多様な手段によりプロセッサ１５１０、１５６０と連結されることができる。
【図１】
2016519479.tif 000012
【図２】
2016519479.tif 000013
【図３】
2016519479.tif 000014
【図４】
2016519479.tif 000015
【図５】
2016519479.tif 000016
【図６】
2016519479.tif 000017
【図７】
2016519479.tif 000018
【図８】
2016519479.tif 000019
【図９】
2016519479.tif 000020
【図１０】
2016519479.tif 000021
【図１１】
2016519479.tif 000022
【図１２】
2016519479.tif 000023
【図１３】
2016519479.tif 000024
【図１４】
2016519479.tif 000025
【図１５】
2016519479.tif 000026
【国際調査報告】
2016519479.tif 000027
2016519479.tif 000028
2016519479.tif 000029
2016519479.tif 000030